(57)【要約】【課題】安易な構造でありながら車両総重量に影響を与えず、状況に応じた効果的なディスプレイの使用を、トラックやトレーラー以外でも行える作業機用車両を提供することを目的とする。【解決手段】ブーム６とカウンタウエイト７を有する作業機に、ブーム６又はカウンタウエイト７の壁面にディスプレイ８を配置する。作業時にはディスプレイ８の表示画面を作業注意画面とし、非作業時、走行時にはディスプレイ８の表示画面を広告表示画面に、表示切替手段において切替え可能とする。これにより、複雑な形で構成された作業機用車両でも、ディスプレイ８を取り付けることができ、さらに、状況に応じた効果的なディスプレイの使用ができる。【選択図】図１
2013018625.tif 000002
【特許請求の範囲】
【請求項１】
車両上にブームとカウンタウエイトを有する作業機を備え、ブーム又はカウンタウエイトの壁面にディスプレイを配置していることを特徴とする作業機用車両。
【請求項２】
前記作業機による作業時には前記ディスプレイを作業注意表示画面とすることを特徴とする請求項１記載の作業機用車両。
【請求項３】
前記作業機による非作業時または作業機用車両の走行時には前記ディスプレイを広告表示画面とすることを特徴とする請求項１記載の作業機用車両。
【請求項４】
前記作業機による作業時、非作業時、走行時の切替えを表示切替手段で切替えるようにすることを特徴とする請求項２または請求項３記載の作業機用車両。
【請求項５】
前記ディスプレイは有機ＥＬディスプレイで構成したことを特徴とする請求項１乃至請求項４のいずれか記載の作業機用車両。
【発明の詳細な説明】
【技術分野】
【０００１】
本発明は、作業機用車両に関するものである。
【背景技術】
【０００２】
従来、移動広告としてトラックやトレーラを使用することは以前から周知技術として知られ、トレーラの荷台部分に広告表示用のディスプレイを設置している。このトレーラの例を図４に図示し、説明する。図４の（ａ）はトレーラの側面図で、図４の（ｂ）は図４（ａ）のＸ−Ｘ断面図である。トレーラは、この作業機用車両においては、広告表示用透過性パネル２１で囲まれた第１の骨格ボックス２２を搭載し、さらには、その内側に荷物運搬用とした熱遮断部材で囲まれた第２の骨格ボックス２３を搭載している。そして、２つのボックスの隙間空間にＬＥＤ、蛍光灯などの複数の照明器具を整列させ、さらに光反射板を備えて、広告表示用透過性パネルを内部から照明することで、ディスプレイに表示画面が映し出され、道路を走行しながら広告宣伝を行っていた（特許文献１参照）。
【先行技術文献】
【特許文献】
【０００３】
【特許文献１】実用新案登録第３１５１２８３号
【発明の概要】
【発明が解決しようとする課題】
【０００４】
ところが、上記のような車両であると、トラックやトレーラのように簡易な形で構成されている車両にしか実施することができず、移動式クレーンなどのような複雑な形で構成されている作業機に不向きなものとなっている。上記のような車両であれば、移動しながら広告作業を行うことができるが、広告用表示透過性パネル２１で囲まれた第１の骨格ボックス２２と熱遮断部材で囲まれた第２の骨格ボックス２３が必要になり、さらには、第１ボックスと第２ボックスの隙間空間には照明器具が必要であることから、車両総重量に影響を与える恐れのある大掛かりな装置が必要となる。そして、ディスプレイに表示される表示画面は、作業時に注意表示画面として使用することができず、状況に応じた効果的な使用をすることができなかった。
【０００５】
そこで、本発明は、簡易な構造でありながら車両総重量に影響を与えず、状況に応じた効果的なディスプレイの使用を、トラックやトレーラ以外でも行える作業機用車両を提供することを目的とする。
【課題を解決するための手段】
【０００６】
本願請求項１の作業機用車両の発明は、車両上にブームとカウンタウエイトを有する作業機を備え、ブーム又はカウンタウエイトの壁面にディスプレイを配置していることを特徴とする。
【０００７】
本願請求項２の作業機用車両の発明は、前記作業機による作業時には前記ディスプレイを作業注意表示画面とする請求項１記載の作業機用車両であることを特徴とする。
【０００８】
本願請求項３の作業機用車両の発明は、前記作業機による非作業時または作業用車両の走行時には前記ディスプレイを広告表示画面とする請求項１記載の作業機用車両であることを特徴とする。
【０００９】
本願請求項４の作業機用車両の発明は、前記作業機による作業時、非作業時、走行時の切替えを表示切替手段で行えるようにする請求項２または請求項３記載の作業機用車両であることを特徴とする。
【００１０】
本願請求項５の作業機用車両の発明は、前記ディスプレイは有機ＥＬディスプレイで構成した請求項１乃至請求項４のいずれか記載の作業機用車両であることを特徴とする。
【発明の効果】
【００１１】
本発明の請求項１に記載の作業機用車両によれば、車両上にブームとカウンタウエイトを有する作業機を備え、ブームまたはカウンタウエイトの壁面にディスプレイを配置する構成とすることで、ディスプレイが常に人目に触れることができる。ブームとカウンタウエイトは作業機の構成要素の中でも比較的面積が大きいため、作業機の状態によってディスプレイの配置変更などを行うことなく、常に決まった位置で表示を行うことができる。
【００１２】
本発明の請求項２に記載の作業機用車両によれば、前記作業機による作業時には前記ディスプレイを作業注意表示画面とすることで、作業機周辺の作業員だけではなく、高所や遠い位置で作業をしている作業員にまで、作業の際の注意を周知することができる注意銘板として使用することができる。さらには、近くを通行している通行人などの非作業員にも注意を促すことができる。
【００１３】
本発明の請求項３に記載の作業機用車両によれば、前記作業機による非作業時または作業機用車両の走行時には前記ディスプレイを広告表示画面とすることで、非作業時や走行時のような注意喚起が必要とされていない状況であっても、ディスプレイを有効利用することができる。
【００１４】
本発明の請求項４に記載の作業機用車両によれば、前記作業機による作業時、非作業時、走行時のディスプレイの切替作業を表示切替手段で行えるようにすることで、状況に応じたディスプレイの使い分けが容易に行うことができる。
【００１５】
本発明の請求項５に記載のサ行機用車両によれば、有機ＥＬディスプレイで構成されたディスプレイを用いることで、軽くて薄いディスプレイをブームまたはカウンタウエイトに取付けることができ、車両総重量に影響を与えることもなく、曲面などの壁面の形状に沿わせて、ディスプレイを取付けることができる。また、有機ＥＬは自発光を行う性質があるため、ディスプレイの内側に照明装置を設けなくとも、簡単な構成をもって取付けることができ、どのような種類の作業機においてもディスプレイを取付けることができる。
【発明を実施するための形態】
【００１６】
以下、本発明の実施の形態について図を用いて説明を行う。
図１は、作業機用車両のディスプレイに関する取付け位置について実施例を示したものである。作業機の例として移動式クレーンを用いる。
【００１７】
まず、移動式クレーンの構成要素を説明する。移動式クレーンは図１に示すとおり主に道路を走行するための車両１と、作業を行うための作業部２と、を備えている。
【００１８】
車両１は、前後の２軸にそれぞれ左右一対の車輪を有している。車両１の上方には、車両１の走行または作業部２の操作を行う運転室３が設けられている。また、車両１の前部および後部の左右両側には、車両１を地面に対して安定的に支持するためのアウトリガ４が設けられている。アウトリガ４は、ジャッキシリンダによって下方に伸長し、下端を地面に接地させることによって、車両１を地面に対して安定的に支持できる。
【００１９】
移動式クレーンの作業部２には、旋回可能に設けられた旋回台５と、上記でも述べた車両１または作業部２を操作するための運転室３と、起伏可能に取付けられるとともに伸縮可能に取り付けられるブーム６と、移動式クレーンの作業時前方の転倒を防止し、バランスさせるためにカウンタウエイト７を有している。
【００２０】
旋回台５は車両１に対して旋回自在に設けられており、旋回用の油圧モータを駆動させることにより、旋回動作が可能となっている。ブーム６は、ベースブーム６ａ（最基端側ブーム）が旋回台５に枢支連結され、ベースブーム６ａと旋回台５の適所間に起伏シリンダを配置し、ブーム６を起伏駆動可能に構成している。ベースブーム６ａの内部には複数のブーム材が入れ子構造となるように多段式伸縮ブームで構成され、各ブーム間には伸縮駆動手段が配置され伸縮駆動可能になっている。カウンタウエイト７は、重量部材で構成され、旋回台５に対して取外し自在に設けられており、旋回台５とともに旋回動作も行う。
【００２１】
作業時、非作業時、走行時のそれぞれの移動式クレーンの状態を説明する。作業時には、アウトリガ４は下端を地面に接地させ、車両を支持している。ブーム６は、ブーム先端よりフックを吊下げ、フックに吊荷を吊下し、吊荷を目的位置に移動させて作業を行う。非作業時には、作業時と同様にアウトリガ４を張出しているが、ブーム６は伸縮起伏操作を行わず、旋回台５の旋回動作も行われていない状態である。走行時には、アウトリガ４を格納し、ブーム６も格納されている状態であって、車両１で道路などを走行可能としている。
【００２２】
次に、ディスプレイの説明を行う。ディスプレイ８は、有機ＥＬで構成することによって、ディスプレイが自発光し、バックライトが不要になるため、薄くて軽量になる。また、有機ＥＬは低電流で発光するため、消費電力の消耗も小さくなる。さらに、表示切替手段とも連動しており、表示画面の切替え作業が可能となっている。
【００２３】
ディスプレイ８の取付け位置について、図１ではベースブーム６ａ壁面側にディスプレイを配置しているが、ベースブーム６ａの下面に配置してもよい。
【００２４】
また、本発明で使用するディスプレイ８は有機ＥＬで構成されていることから、薄く軽量であり、図２のカウンタウエイト７のように壁面が曲面状であったとしても、取付けることが可能となる。さらに、ブームやカウンタウエイト以外にも旋回台の壁面など取付けられるスペースが確保できるのであれば、車両のどの位置にでもディスプレイ８を取付けることが可能である。
【００２５】
なお、ディスプレイの配置位置は、上記例のようにブームまたはカウンタウエイトのようにディスプレイの設置面積を比較的広く確保でき、人目に付く場所に配置することが最も好ましい。
【００２６】
図３は、ディスプレイ８の表示画面切替えに関するブロック図であり、切替作業について説明を行う。
【００２７】
９は、表示切替手段を示し、ディスプレイ８と連動しているもので、ＰＴＯオン操作で作業時表示画面に切替え、ＰＴＯオフ操作で非作業時表示画面に切替えるようになっている。この表示切替手段９は、アウトリガの接地状態で作業表示画面に切替え、非接地状態で非作業表示画面に切替えるようにしてもよい。さらに、駐車ブレーキが入っているか否か、ミッション操作がなされているか否かでディスプレイの表示画面を切替えてもよい。
【００２８】
１０は、安全装置を示し、吊荷の質量が定格荷重に近づいたとき、または超えたときに、自動的に警報を発し、クレーンの作動を停止させるＡＭＬ（過負荷防止装置）や、ジブ長さ、起伏角度、旋回角度を任意に設定し、設定値以外の範囲では作業を行わせない作業領域制限装置などがある。これらは、誤操作や故障による事故の発生を未然に防ぐもので、異常を検知した場合に自動的に作動するもの、操縦者が異常を感じた際に操作するものがある。
【００２９】
１１は、広告表示画面記憶装置を示し、移動式クレーンの非作業時、走行時にディスプレイ８に表示される広告表示を記憶するものである。１２は、広告表示入出力装置を示し、広告表示画面記憶装置１１で記憶された広告表示を表示画面の切替えによって入出力をおこなうものである。１３は、画像処理装置を示し、切替えられた画像をディスプレイの表示に合うように画像の処理を行うものである。
【００３０】
まず、移動式クレーンが作業時であるとき、切替表示手段９は安全装置１０に接続される。安全装置１０に接続されると、あらかじめコンピュータ内に組込まれている各作業に関する作業注意表示画面が選択される。そして、ディスプレイ８に表示できるように画像処理装置１３で処理が行われ、ディスプレイ８に処理された作業注意表示画面が表示される。
【００３１】
次に、移動式クレーンが非作業時、走行時であるとき、切替表示手段９は広告入出力装置１２に接続される。広告入出力装置１２は広告表示画面記憶装置１１と接続されており、広告表示画面記憶装置１１に記憶されている広告画面を広告入出力装置１２に入力する。そして、ディスプレイ８に表示できるように画像処理装置１３内で処理された広告表示画面がディスプレイ８に表示される。
【００３２】
尚、前記実施形態では作業機として移動式クレーンを用いているが、ブーム、カウンタウエイトを備えた作業機であれば、例えば、高所作業車や穴掘建柱車、掘削機でも可能である。
【図面の簡単な説明】
【００３３】
【図１】移動式クレーンのブーム側面にディスプレイを取付けた状態を説明する説明            図である。
【図２】移動式クレーンのカウンタウエイトにディスプレイを取付けた状態を説明す            る説明図である。
【図３】ディスプレイの表示画面切替えを説明するブロック図である。
【図４】従来の技術を説明する説明図である。
【符号の説明】
【００３４】
１    車両
２    作業部
３    運転室
４    アウトリガ
５    旋回台
６    ブーム
６ａ  ベースブーム
７    カウンタウエイト
８    ディスプレイ
９    表示切替手段
１０  安全装置
１１  広告表示記憶装置
１２  広告表示入出力装置
１３  画像処理装置
【図１】
2013018625.tif 000003
【図２】
2013018625.tif 000004
【図３】
2013018625.tif 000005
【図４】
2013018625.tif 000006